(57)【要約】本発明は、位置情報サービスにおいて位置情報要求を処理する方法を開示している。本方法は、位置情報要求受信部に対して処理指示を有する位置情報要求を送信する位置情報要求開始部を有し、位置情報要求受信部は、位置情報要求を受信した後、処理指示の型に従って、位置情報要求に対して同期処理又は非同期処理の何れを行うかを決定し、その後、位置情報要求に対して対応する処理を実行する。本方法は、効果的にＬＣＳシステムのシステムリソースを節約し、位置情報サービスインターフェースのリソースの浪費を避け、位置情報サービスの処理能力を向上することができる。
2007507123.tif 000002
【特許請求の範囲】
【請求項１】
位置情報サービスにおける位置情報要求を処理する方法において、
Ａ．位置情報要求開始部が、位置情報要求受信部に対して処理指示を含む位置情報要求を送信するステップと、
Ｂ．位置情報要求を受信した後、位置情報要求受信部が処理指示の型に従って位置情報要求に対して同期処理又は非同期処理の何れを行うかを決定し、その後位置情報要求に対して対応する処理を実行するステップと
を有することを特徴とする方法。
【請求項２】
位置情報要求受信部が、ステップＢにおいて、処理指示の前記型に従って位置情報要求に対して同期処理を行うことを決定するという条件下で、ステップＢ中の、位置情報要求に対して対応する処理を実行するステップにおいて、
ＬＣＳシステムが対象ＵＥの位置把握をした後、位置情報要求受信部が位置情報要求開始部に対して対象ＵＥの位置把握結果を含む位置情報応答を送信する
ことを特徴とする請求項１に記載の方法。
【請求項３】
位置情報要求受信部が、ステップＢにおいて、処理指示の前記型に従って位置情報要求に対して非同期処理を行うことを決定するという条件下で、ステップＢは、
Ｂ１．位置情報要求受信部が位置情報要求開始部に対して位置情報サービス応答を送信し、自身及び位置情報要求開始部の間の接続リソースを開放するステップと、
Ｂ２．位置情報サービス応答を受信した後、位置情報要求開始部が自身及び位置情報要求受信部の間の接続リソースを開放するステップと、
Ｂ３．ＬＣＳシステムが対象ＵＥの位置把握をした後、位置情報要求受信部が自身及び位置情報要求開始部の間の接続を再確立し、その後位置情報要求開始部に対して対象ＵＥの位置把握結果を含むＬＣＳサービス結果を送信するステップと
を有することを特徴とする請求項１に記載の方法。
【請求項４】
処理指示の前記型は、
位置情報要求開始部によって受信された位置情報要求が含む処理指示の型に従って、又は
位置情報要求開始部によって受信された位置情報要求が有するサービスの質のパラメータに従って、又は
位置情報要求受信部のアドレス型に従って、又は
上記の任意の組み合わせに従って
決定されることを特徴とする請求項１に記載の方法。
【請求項５】
位置情報要求開始部はＬＣＳクライアントであり、位置情報要求受信部はＲ−ＧＭＬＣであることを特徴とする請求項１に記載の方法。
【請求項６】
位置情報要求開始部はＲ−ＧＭＬＣであり、位置情報要求受信部はＨ−ＧＭＬＣであることを特徴とする請求項１に記載の方法。
【請求項７】
位置情報要求開始部はＨ−ＧＭＬＣであり、位置情報要求受信部はＶ−ＧＭＬＣであることを特徴とする請求項１に記載の方法。
【発明の詳細な説明】
【技術分野】
【０００１】
本発明は位置情報技術、より詳細には位置情報サービスにおける位置情報要求を処理する方法に関する。
【背景技術】
【０００２】
移動通信ネットワークにおける位置情報サービス（ＬＣＳ，Ｌｏｃａｔｉｏｎ  Ｓｅｒｖｉｃｅ）とは位置情報技術によって対象となる移動機（ＵＥ，Ｕｓｅｒ  Ｅｑｕｉｐｍｅｎｔ）の位置情報を取得するものであり、対象ＵＥとは移動通信ネットワークにおいて位置決定された移動機端末のことを表し、位置情報には地理的緯度／経度情報又は地域の街路の位置情報が含まれる。ＬＣＳシステムにより取得された位置情報は、対象ＵＥが自身の位置決定するため、又は通信システム自体が地域毎の課金や動作メンテナンスを行うため、又は対象ＵＥの位置情報を所望する組織や個人等の他のクライアントアプリケーション端末が付加価値サービスを行うため提供され得る。それ故、位置情報サービスは、緊急救助、車両ガイダンス及びインテリジェント交通システム、作業スケジュール及びチーム管理、移動電話帳案内、ネットワークの効率向上、及びその他の様相の点から広い応用性を有する。第３世代共同計画（３ＧＰＰ，３ｒｄ  Ｇｅｎｅｒａｔｉｏｎ  Ｐａｒｔｎｅｒｓｈｉｐ  Ｐｒｏｊｅｃｔ）には、ＬＣＳ仕様に加えて、ＬＣＳシステム全体の機能モデル、構造、ステータス記述、メッセージフロー及び他の態様が全て記載されている。
【０００３】
図１は、ＬＣＳネットワークのロジック構造を示す略示図である。図１に示されるように、機能ロジックの点から、位置情報サービスを実施するための機能的ロジックの実体は、要求末端１０１、ＬＣＳシステムを有するネットワーク１０６、及び対象ＵＥ１０７を備える。ＬＣＳシステムを有するネットワーク１０６は、ゲートウェイ移動位置情報センタ（ＧＭＬＣ，Ｇａｔｅｗａｙ  Ｍｏｂｉｌｅ  Ｌｏｃａｔｉｏｎ  Ｃｅｎｔｅｒ）１０２、ユーザデータ記憶サーバ（ＨＬＲ／ＨＳＳ）１０３、中央ネットワーク（ＣＮ，Ｃｅｎｔｒａｌ  Ｎｅｔｗｏｒｋ）１０４及び無線アクセスネットワーク（ＲＡＮ，Ｒａｄｉｏ  Ａｃｃｅｓｓ  Ｎｅｔｗｏｒｋ）１０５を備える。要求末端１０１は、要求者及びＬＣＳクライアントを有する。ＬＣＳクライアントとは、１つ以上の対象ＵＥ１０７の位置情報を得るために用いられるソフトウェア実体及びハードウェア実体のことを表し、ＬＣＳシステムを有するネットワーク１０６と接続される。要求者とは、対象ＵＥ１０７の位置情報を要求する組織や個人等の要求アプリケーションクライアント末端のことを表し、位置情報要求の開始者である。ＬＣＳクライアント末端は、同時に要求者でもあり得る。ＧＭＬＣ１０２は、要求末端とＬＣＳシステムを有するネットワーク１０６との間の情報相互通信のための標準ＬＣＳインターフェイスを提供し、要求末端１０１のプライバシに加えて、要求末端１０１によって送られる位置情報要求のそれも確認する。両方のプライバシ確認をパスした場合、ＧＭＬＣ１０２は、ＣＮ１０４に対して対象ＵＥ１０７の位置把握するための要求を送る。ＣＮ１０４は、対象ＵＥ１０７の位置把握をするためにＲＡＮ１０５と共働し、ＧＭＬＣ１０２に対して対象ＵＥ１０７の位置把握結果を返信する。最終的に、ＧＭＬＣ１０２は、要求末端１０１に対して対象ＵＥ１０７の位置把握結果を送る。ＧＭＬＣ１０２は更に、要求ＧＭＬＣ（Ｒ−ＧＭＬＣ，Ｒｅｑｕｅｓｔｉｎｇ  ＧＭＬＣ）１０８、ホームＧＭＬＣ（Ｈ−ＧＭＬＣ，Ｈｏｍｅ  ＧＭＬＣ）１０９及び訪問ＧＭＬＣ（Ｖ−ＧＭＬＣ，Ｖｉｓｉｔｅｄ  ＧＭＬＣ）１１０を備えてよい。Ｒ−ＧＭＬＣ１０８は、ＬＣＳシステムを有するネットワーク１０６に位置するＧＭＬＣであり、要求末端１０１からの対象ＵＥ１０７の位置情報要求を受信するために用いられる。Ｈ−ＧＭＬＣ１０９は、ＬＣＳシステムを有するネットワーク１０６に位置し、対象ＵＥ１０７が連携しているＧＭＬＣである。Ｖ−ＧＭＬＣ１１０は、対象ＵＥ１０７がその時訪問している、ＬＣＳシステムを有するネットワーク１０６に位置するＧＭＬＣであり、即ち対象ＵＥ１０７がその時点で位置する、ＬＣＳシステムを有するネットワーク１０６のＧＭＬＣである。Ｒ−ＧＭＬＣ１０８、Ｈ−ＧＭＬＣ１０９及びＶ−ＧＭＬＣ１１０は、１つの物理的実体として一体化されていても、異なる実体として配置されていてもよい。Ｒ−ＧＭＬＣ１０８及びＨ−ＧＭＬＣ１０９はＬｒインターフェイスを介して接続されており、Ｈ−ＧＭＬＣ１０９及びＶ−ＧＭＬＣ１１０も同様である。要求末端１０１及びＲ−ＧＭＬＣ１０８はＬｅインターフェイスを介して接続されている。ＨＬＲ／ＨＳＳ１０３は、ユーザデータを記憶し、Ｈ−ＧＭＬＣ１０９、Ｖ−ＧＭＬＣ１１０及びＣＮ１０４の、ユーザに関連するアドレス情報等の移動機に関する情報を他のネットワークのロジック実体に提供する。ＣＮ１０４は、ＧＭＬＣ１０２から対象ＵＥ１０７の位置情報要求を受信して処理し、対象ＵＥ１０７の位置把握をするためにＲＡＮ１０５と共働し、ＧＭＬＣ１０２に対して対象ＵＥ１０７の位置把握結果を返信する。
【０００４】
現在、要求末端からの対象ＵＥの位置情報要求は、３ＧＰＰのＬＣＳ仕様では２つのカテゴリに分類されている。即ち、即時位置情報要求及び遅延位置情報要求である。即時位置情報要求に対する処理とは、ＬＣＳシステムが要求末端から対象ＵＥの位置情報要求を受信した後即座に対象ＵＥの位置把握をし、直ちに要求末端に対して対象ＵＥの位置把握結果を返信することである。遅延位置情報要求に対する処理とは、未来のある時点又はある事態が起こった際にＬＣＳシステムによる位置把握結果を与えることである。
【０００５】
図２は、３ＧＰＰのＬＣＳ仕様に画定されている位置情報要求を開始する、要求末端の処理を説明するフローチャートであり、図２に示すように、対象ＵＥに対する位置情報要求を開始する要求末端の処理は、以下のステップを備えている。
【０００６】
まず、以下にステップ２０１乃至２０５を説明する。要求末端は、Ｒ−ＧＭＬＣに対してＬＣＳサービス要求（ＬＣＳ  Ｓｅｒｖｉｃｅ  Ｒｅｑｕｅｓｔ）を送信して、ＬＣＳシステムが対象ＵＥの位置情報を提供することを要求する。ＬＣＳサービス要求を受信した後、Ｒ−ＧＭＬＣは、ＨＬＲ／ＨＳＳに対してＬＣＳのための送信経路情報（Ｓｅｎｄ  Ｒｏｕｔｉｎｇ  Ｉｎｆｏ  ｆｏｒ  ＬＣＳ）を送信して、ＨＬＲ／ＨＳＳがＨ−ＧＭＬＣのアドレスを提供することを要求する。ＬＣＳのための送信経路情報を受信した後、ＨＬＲ／ＨＳＳは、Ｒ−ＧＭＬＣに対してＬＣＳのための送信経路情報のＡＣＫ（Ｓｅｎｄ  Ｒｏｕｔｉｎｇ  Ｉｎｆｏ  ｆｏｒ  ＬＣＳ  ＡＣＫ）を送信し、Ｈ−ＧＭＬＣのアドレス情報を返信する。ＬＣＳのための送信経路情報のＡＣＫを受信した後、Ｒ−ＧＭＬＣは、Ｈ−ＧＭＬＣに対してＬＣＳサービス要求を送信して、対象ＵＥの位置情報を要求する。ＬＣＳサービス要求を受信した後、Ｈ−ＧＭＬＣは、送信されたＬＣＳサービス要求に関してだけでなくＲ−ＧＭＬＣに関してプライバシを確認し、両方のプライバシ確認をパスした場合、ステップ２０６が実行される。それ以外の場合、Ｈ−ＧＭＬＣは、Ｒ−ＧＭＬＣに対してエラー応答を送信する。
【０００７】
以下にステップ２０６乃至２０９を説明する。Ｈ−ＧＭＬＣは、ＨＬＲ／ＨＳＳに対してＬＣＳのための送信経路情報を送信して、ＨＬＲ／ＨＳＳがＶ−ＧＭＬＣのアドレスとＣＮのそれとを提供することを要求する。ＬＣＳのための送信経路情報を受信した後、ＨＬＲ／ＨＳＳは、Ｈ−ＧＭＬＣに対してＬＣＳのための送信経路情報のＡＣＫを送信し、Ｖ−ＧＭＬＣのアドレス情報とＣＮのそれとを返信する。ＬＣＳのための送信経路情報のＡＣＫを受信した後、Ｈ−ＧＭＬＣは、Ｖ−ＧＭＬＣに対してＬＣＳサービス要求を送信して、対象ＵＥの位置情報を要求する。ＬＣＳサービス要求を受信した後、Ｖ−ＧＭＬＣは、ＣＮ及びＲＡＮと共働して対象ＵＥの位置把握をする。
【０００８】
以下にステップ２１０乃至２１１を説明する。対象ＵＥの位置把握が終了した後、Ｖ−ＧＭＬＣは、Ｈ−ＧＭＬＣに対してＬＣＳサービス要求を送信し、対象ＵＥの位置把握結果を返信する。ＬＣＳサービス応答を受信した後、Ｈ−ＧＭＬＣは、必要なときにＲ−ＧＭＬＣによって返信された対象ＵＥの位置情報に関してプライバシを確認し、プライバシ確認をパスした場合、ステップ２１２が実行される。さもなければ、Ｈ−ＧＭＬＣは、Ｒ−ＧＭＬＣに対してエラー応答を送信する。
【０００９】
以下にステップ２１２乃至２１３を説明する。Ｈ−ＧＭＬＣは、Ｒ−ＧＭＬＣに対してＬＣＳサービス応答（ＬＣＳ  Ｓｅｒｖｉｃｅ  Ｒｅｓｐｏｎｓｅ）を送信して、対象ＵＥの位置把握結果を返信する。ＬＣＳサービス応答を受信した後、Ｒ−ＧＭＬＣは、必要時に対象ＵＥの返信された位置把握結果を変換、例えば、緯度／経度情報を地域の地理的情報に変換することができる。Ｒ−ＧＭＬＣは、要求末端に対してＬＣＳサービス応答を送信して、最終的に変換された、対象ＵＥの位置把握結果を返信する。
【００１０】
上述は、単に、要求末端がＬＣＳシステムに対象ＵＥの位置情報を提供することを要求する基本的手順である。３ＧＰＰ  ＬＣＳ仕様には、要求末端からＲ−ＧＭＬＣに送信されたＬＣＳサービス要求は、同期処理指示又は非同期処理指示のいずれかの処理指示を更に含むことができることが明示されており、Ｒ−ＧＭＬＣは処理指示の型に従って受信したＬＣＳサービス要求を処理する。同期処理指示の場合、Ｒ−ＧＭＬＣは、受信したＬＣＳサービス要求に対して同期処理を実行する。一方、非同期処理指示の場合、Ｒ−ＧＭＬＣは、受信したＬＣＳサービス要求に対して非同期処理を実行する。ＬＣＳサービス要求に対するＲ−ＧＭＬＣの同期処理方式と非同期処理方式は、以下に詳細に述べられる。
【００１１】
図３は、要求末端及びＲ−ＧＭＬＣの間の位置情報要求に対する同期処理を説明するフローチャートであり、図３に示すように、同期処理の実施手順は、以下のステップを有する。
【００１２】
以下にステップ３０１乃至３０２を説明する。要求末端は、Ｒ−ＧＭＬＣに対して同期処理指示を有するＬＣＳサービス要求を送信し、Ｒ−ＧＭＬＣは同期処理指示に従って、受信したＬＣＳサービス要求に対する同期処理を実行し、このＬＣＳサービス要求をＨ−ＧＭＬＣに転送する。Ｈ−ＧＭＬＣは、このＬＣＳサービス要求に関してプライバシを確認し、プライバシ確認をパスした場合、Ｈ−ＧＭＬＣは、このＬＣＳサービス要求をＶ−ＧＭＬＣに転送する。ＬＣＳサービス要求を受信した後、Ｖ−ＧＭＬＣは、ＣＮ及びＲＡＮと共働して対象ＵＥの位置把握をする。Ｖ−ＧＭＬＣは、Ｈ−ＧＭＬＣに対して、対象ＵＥの位置把握結果を有するＬＣＳサービス応答を返信し、Ｈ−ＧＭＬＣは、Ｒ−ＧＭＬＣに対して、対象ＵＥの位置把握結果を有するＬＣＳサービス応答を転送し、最終的に、Ｒ−ＧＭＬＣは、要求末端に対して、対象ＵＥの位置把握結果を有するＬＣＳサービス応答を返信する。
【００１３】
Ｖ−ＧＭＬＣが、ＣＮ及びＲＡＮと共働して対象ＵＥの位置把握に成功した場合、ＬＣＳサービス応答は、対象ＵＥの位置把握結果を有する。一方、Ｖ−ＧＭＬＣが、ＣＮ及びＲＡＮと共働して対象ＵＥの位置把握することに失敗した場合、ＬＣＳサービス応答は、位置把握が不成功となった理由を有する。
【００１４】
図４は、要求末端及びＲ−ＧＭＬＣ間の位置情報要求に対する非同期処理を説明するフローチャートであり、図４に示すように、非同期処理の実施手順は、以下のステップを有する。
【００１５】
以下にステップ４０１乃至４０２を説明する。要求末端は、Ｒ−ＧＭＬＣに対して非同期処理指示を有するＬＣＳサービス要求を送信し、Ｒ−ＧＭＬＣは非同期処理指示に従って、受信したＬＣＳサービス要求に対する非同期処理を実行する。Ｒ−ＧＭＬＣは、先ず、要求末端に対してＬＣＳサービス応答を送信して、要求末端に、要求末端から対象ＵＥへのＬＣＳサービス要求が受付けられたことを知らせ、次いで、Ｒ−ＧＭＬＣ及び要求末端の間の接続リソースを解放する。ＬＣＳサービス応答を受信した後、要求末端は、Ｒ−ＧＭＬＣ及び自身の間の接続リソースを解放する。その後、Ｒ−ＧＭＬＣは、Ｈ−ＧＭＬＣにより実行されるプライバシ確認を要求末端がパスした後にＶ−ＧＭＬＣに対してＬＣＳサービス要求を転送するＨ−ＧＭＬＣに対して、ＬＣＳサービス要求を送信する。ＬＣＳサービス要求を受信した後、Ｖ−ＧＭＬＣは、ＣＮ及びＲＡＮと共働して対象ＵＥの位置把握をする。
【００１６】
以下にステップ４０３を説明する。ＣＮ及びＲＡＮと共働して対象ＵＥの位置把握をした後、Ｖ−ＧＭＬＣは、Ｒ−ＧＭＬＣに対して対象ＵＥの位置把握結果を有するＬＣＳサービス応答を転送するＨ−ＧＭＬＣに対して、対象ＵＥの位置把握結果を有するＬＣＳサービス応答を返信する。Ｒ−ＧＭＬＣは、ＬＣＳサービス応答を受信した後、自身及び要求末端の間の接続を再確立し、要求末端に対して、対象ＵＥの位置把握結果を有する位置情報メッセージを返信する。
【００１７】
Ｖ−ＧＭＬＣが、ＣＮ及びＲＡＮと共働して対象ＵＥの位置把握に成功した場合、位置情報は、対象ＵＥの位置把握結果を有する。一方、Ｖ−ＧＭＬＣが、ＣＮ及びＲＡＮと共働して対象ＵＥの位置把握することに失敗した場合、位置情報は、位置把握が不成功となった理由を有する。
【００１８】
上述の処理指示は、要求末端から対象ＵＥへの位置情報要求の型に従って決定することができる。例えば、要求末端が、対象ＵＥの即時位置情報要求を開始する場合、要求末端は、Ｒ−ＧＭＬＣに対して同期処理指示を有するＬＣＳサービス要求を送信する。一方、要求末端が、対象ＵＥの遅延位置情報要求を開始する場合、要求末端は、Ｒ−ＧＭＬＣに対して非同期処理指示を有するＬＣＳサービス要求を送信する。
【００１９】
上記記載のＬＣＳサービス要求は、位置情報要求の一例である。
【００２０】
現在、３ＧＰＰのＬＣＳ仕様では、Ｒ−ＧＭＬＣ及び要求末端の間のＬｅインターフェースにおいて、位置情報要求に対して同期処理又は非同期処理のどちらを実行すべきかについて機構が明示されており、一方で、Ｒ−ＧＭＬＣ及びＨ−ＧＭＬＣの間又はＨ−ＧＭＬＣ及びＶ−ＧＭＬＣの間のＬｒインターフェースは、位置情報要求に対する同期処理のみをサポートすることができ、位置情報要求に対する非同期処理をサポートすることはできない。このようにして、Ｖ−ＧＭＬＣが、ＣＮ及びＲＡＮと共働して対象ＵＥの位置把握をし、Ｈ−ＧＭＬＣに対して対象ＵＥの位置把握結果を有するＬＣＳサービス要求を返信した後にのみ、Ｖ−ＧＭＬＣ及びＨ−ＧＭＬＣの間の接続リソースは解放できる。同時に、Ｈ−ＧＭＬＣが、Ｒ−ＧＭＬＣに対して対象ＵＥの位置把握結果を有するＬＣＳサービス要求を返信した後にのみ、Ｈ−ＧＭＬＣ及びＶ−ＧＭＬＣの間の接続リソースは解放できる。位置把握技術の違い及び要求末端から要求される位置把握の精度の違いによって、Ｖ−ＧＭＬＣがＣＮ及びＲＡＮと共働して対象ＵＥの位置把握する場合、長時間を要することがありうる。そのような場合、Ｒ−ＧＭＬＣ、Ｈ−ＧＭＬＣ及びＶ−ＧＭＬＣの間では、同期処理のみが利用可能であるため、Ｈ−ＧＭＬＣ及びＶ−ＧＭＬＣの間だけでなく、Ｒ−ＧＭＬＣ及びＨ−ＧＭＬＣの間の接続リソースは、対象ＵＥの位置把握が終了するまで解放できず、Ｌｒインターフェースにおけるリソースの浪費となる。ほかにも、Ｈ−ＧＭＬＣ及びＶ−ＧＭＬＣの間だけでなく、Ｒ−ＧＭＬＣ及びＨ−ＧＭＬＣの間が長距離である場合、メッセージ対話手順中に遅れが生じ、Ｈ−ＧＭＬＣは、Ｖ−ＧＭＬＣの応答を長時間待つことになり、Ｒ−ＧＭＬＣは、Ｈ−ＧＭＬＣの応答を長時間待つことになる。そのような場合、Ｈ−ＧＭＬＣ及びＲ−ＧＭＬＣの間だけでなく、Ｖ−ＧＭＬＣ及びＨ−ＧＭＬＣの間の接続リソースは長時間を占有し、Ｈ−ＧＭＬＣ及びＲ−ＧＭＬＣの間だけでなく、Ｖ−ＧＭＬＣ及びＨ−ＧＭＬＣの間の接続リソースを浪費し、Ｌｒインターフェースにおけるリソースの浪費となる。
【特許文献１】中国特許出願公開１３２４５５３号明細書
【発明の開示】
【発明が解決しようとする課題】
【００２１】
これを鑑み、本発明の目的は、効果的にＬＣＳシステムのシステムリソースを節約し、かつ位置情報サービスの処理能力を向上するような、位置情報サービスの際に位置情報要求を処理する方法を提供することである。
【課題を解決するための手段】
【００２２】
上記の目的を達成するために、本発明は、位置情報サービスにおける位置情報要求を処理する方法において、
Ａ．位置情報要求開始部が、位置情報要求受信部に対して処理指示を含む位置情報要求を送信するステップと、
Ｂ．位置情報要求を受信した後、位置情報要求受信部が処理指示の型に従って位置情報要求に対して同期処理又は非同期処理の何れを行うかを決定し、その後位置情報要求に対して対応する処理を実行するステップとを有することを特徴とする方法を提供する。
【００２３】
位置情報要求受信部が、ステップＢにおいて、処理指示の前記型に従って位置情報要求に対して同期処理を行うことを決定するという条件下で、ステップＢ中の、位置情報要求に対して対応する処理を実行するステップにおいて、ＬＣＳシステムが対象ＵＥの位置把握をした後、位置情報要求受信部が位置情報要求開始部に対して対象ＵＥの位置把握結果を含む位置情報応答を送信することを特徴とする。
【００２４】
位置情報要求受信部が、ステップＢにおいて、処理指示の前記型に従って位置情報要求に対して非同期処理を行うことを決定するという条件下で、ステップＢは、
Ｂ１．位置情報要求受信部が位置情報要求開始部に対して位置情報サービス応答を送信し、自身及び位置情報要求開始部の間の接続リソースを開放するステップと、
Ｂ２．位置情報サービス応答を受信した後、位置情報要求開始部が自身及び位置情報要求受信部の間の接続リソースを開放するステップと、
Ｂ３．ＬＣＳシステムが対象ＵＥの位置把握をした後、位置情報要求受信部が自身及び位置情報要求開始部の間の接続を再確立し、その後位置情報要求開始部に対して対象ＵＥの位置把握結果を含むＬＣＳサービス結果を送信するステップとを有することを特徴とする。
【００２５】
処理指示の前記型は、位置情報要求開始部によって受信された位置情報要求が含む処理指示の型に従って、又は位置情報要求開始部によって受信された位置情報要求が有するサービスの質のパラメータに従って、又は位置情報要求受信部のアドレス型に従って、又は上記の任意の組み合わせに従って決定されることを特徴とする。
【００２６】
位置情報要求開始部はＬＣＳクライアントであり、位置情報要求受信部はＲ−ＧＭＬＣであることを特徴とする。
【００２７】
位置情報要求開始部はＲ−ＧＭＬＣであり、位置情報要求受信部はＨ−ＧＭＬＣであることを特徴とする。
【００２８】
位置情報要求開始部はＨ−ＧＭＬＣであり、位置情報要求受信部はＶ−ＧＭＬＣであることを特徴とする。
【００２９】
本発明で提供される本方法によれば、位置情報要求開始部は、位置情報要求に対し様々な状況によって異なる処理方式を採用でき、これにより、位置情報要求受信部は、位置情報要求開始部によって決定された位置情報要求処理方式に従って、自身及び位置情報要求開始部の間の接続リソースに対する対応する処理を実施できる。非同期処理方式を採用した場合、ＬＣＳシステムのシステムリソースは節約され、位置情報サービスインターフェースにおけるリソースの浪費は避けられ、位置情報サービスの処理能力が向上する。
【発明を実施するための最良の形態】
【００３０】
本発明は、添付図を参照して以下に詳細に述べられる。
【００３１】
本発明において、位置情報要求開始部は、様々な状況によって、位置情報要求に対して異なる処理方式を採用することができ、これにより、位置情報要求受信部は、位置情報要求開始部によって決定された位置情報要求処理方式に基づいて、自身及び位置情報要求開始部の間の接続リソースに対して対応する処理を実行することができる。このようにして、非同期処理方式が位置情報要求に対して採用された場合、ＬＣＳシステムのシステムリソースは効果的に節約される。例えば、Ｖ−ＧＭＬＣ及びＨ−ＧＭＬＣの間だけでなく、Ｈ−ＧＭＬＣ及びＲ−ＧＭＬＣの間のＬｒインターフェースにおいて位置情報要求対して同期処理又は非同期処理のどちらを実行すべきかを判定する機構を追加することによって、Ｒ−ＧＭＬＣ及びＨ−ＧＭＬＣは、様々な状況によって、位置情報要求に対して異なる処理方式を採用することができ、非同期処理方式の場合顕著に、Ｖ−ＧＭＬＣ及びＨ−ＧＭＬＣの間だけでなく、Ｈ−ＧＭＬＣ及びＲ−ＧＭＬＣの間の接続リソースを節約し、Ｌｒインターフェースのリソースの浪費を避け、ＬＣＳシステムの処理能力を向上することができる。
【００３２】
自身によって設定された規則に従ってＨ−ＧＭＬＣに対してＬＣＳサービス要求を送信する場合、Ｒ−ＧＭＬＣは、Ｒ−ＧＭＬＣ及びＨ−ＧＭＬＣの間の対話に対して同期処理又は非同期処理のどちらを採用すべきかを決定する。Ｈ−ＧＭＬＣに送信されたＬＣＳサービス要求は、ＬＣＳサービス要求に対して同期処理又は非同期処理のどちらを実行すべきかを指示する処理指示を有し、Ｈ−ＧＭＬＣは、処理指示の型に従って、受信したＬＣＳサービス要求を処理する。同期処理指示の場合、Ｈ−ＧＭＬＣは、受信したＬＣＳサービス要求に対して同期処理を実行する。一方、非同期処理指示の場合、Ｈ−ＧＭＬＣは、受信したＬＣＳサービス要求に対して非同期処理を実行する。そしてその後、Ｈ−ＧＭＬＣは、自身によって設定された規則に従ってＶ−ＧＭＬＣに送信されるＬＣＳサービス要求が有すべき処理指示の型を決定する。
【００３３】
Ｖ−ＧＭＬＣ及びＨ−ＧＭＬＣの間だけでなくＨ−ＧＭＬＣ及びＲ−ＧＭＬＣの間のＬＣＳサービス要求に対する同期処理及び非同期処理が、以下にそれぞれ述べられる。
【００３４】
図５は、Ｒ−ＧＭＬＣ及びＨ−ＧＭＬＣの間の位置情報要求に対する同期処理を説明するフローチャートであり、図５に示されるように、Ｒ−ＧＭＬＣ及びＨ−ＧＭＬＣの間の位置情報要求に対する同期処理の実施手順は、以下のステップを有する。
【００３５】
以下にステップ５０１乃至５０２を説明する。Ｒ−ＧＭＬＣは、Ｈ−ＧＭＬＣに対して同期処理指示を有するＬＣＳサービス要求を送信し、その後、Ｈ−ＧＭＬＣは同期処理指示に従って、受信したＬＣＳサービス要求に対する同期処理を実行し、受信したＬＣＳサービス要求に関してプライバシを確認する。プライバシ確認をパスした場合、Ｈ−ＧＭＬＣは、このＬＣＳサービス要求をＶ−ＧＭＬＣに転送し、ＬＣＳサービス要求は、Ｈ−ＧＭＬＣシステムの規則に従って設定され、かつ、このＬＣＳサービス要求に対して同期処理又は非同期処理のどちらを実行するかをＶ−ＧＭＬＣに指示するために用いられる、処理指示を有する。一方、プライバシ確認が失敗した場合、Ｈ−ＧＭＬＣは、要求末端からの対象ＵＥの位置情報要求を拒絶する。ＬＣＳサービス要求を受信した後、Ｖ−ＧＭＬＣは、処理指示の型に従って、受信したＬＣＳサービス要求を処理する。同期処理指示の場合、Ｖ−ＧＭＬＣは、受信したＬＣＳサービス要求に対して、図７に示す同期処理を実行する。非同期処理指示の場合、Ｖ−ＧＭＬＣは、受信したＬＣＳサービス要求に対して、図８に示す同期処理を実行する。
【００３６】
図６は、Ｒ−ＧＭＬＣ及びＨ−ＧＭＬＣの間の位置情報要求に対する非同期処理を説明するフローチャートであり、図６に示されるように、Ｒ−ＧＭＬＣ及びＨ−ＧＭＬＣの間の位置情報要求に対する非同期処理の実施手順は、以下のステップを有する。
【００３７】
以下にステップ６０１乃至６０２を説明する。Ｒ−ＧＭＬＣは、Ｈ−ＧＭＬＣに対して非同期処理指示を有するＬＣＳサービス要求を送信し、Ｈ−ＧＭＬＣは、非同期処理指示に従って、受信したＬＣＳサービス要求に対する非同期処理を実行し、Ｒ−ＧＭＬＣに対してＬＣＳサービス応答を送信して、Ｒ−ＧＭＬＣに、ＬＣＳサービス要求が受付けられたことを知らせ、自身及びＲ−ＧＭＬＣの間の接続リソースを解放する。その後、Ｈ−ＧＭＬＣは、このＬＣＳサービス要求に関してプライバシを確認する。要求末端がプライバシ確認をパスした場合、Ｈ−ＧＭＬＣは、Ｖ−ＧＭＬＣに対して、ＬＣＳサービス要求を転送する。このＬＣＳサービス要求を受信した後、Ｖ−ＧＭＬＣは、ＣＮ及びＲＡＮと共働して対象ＵＥの位置把握をする。要求末端がプライバシ確認をパスしなかった場合、Ｈ−ＧＭＬＣは、要求末端から対象ＵＥへの位置情報要求を拒絶する。ＬＣＳサービス要求を受信した後に、Ｒ−ＧＭＬＣは、自身及びＨ−ＧＭＬＣの間の接続リソースを解放する。
【００３８】
以下にステップ６０３を説明する。ＣＮ及びＲＡＮと共働して対象ＵＥの位置把握をした後、Ｖ−ＧＭＬＣは、Ｈ−ＧＭＬＣに対して、対象ＵＥの位置把握結果を有するＬＣＳサービス結果を返信する。Ｈ−ＧＭＬＣは、自身及びＲ−ＧＭＬＣの間の接続を再確立し、Ｒ−ＧＭＬＣに対して、対象ＵＥの位置把握結果を有するＬＣＳサービス結果を返信する。
【００３９】
Ｒ−ＧＭＬＣは、以下に示す規則のいずれかに従って、Ｈ−ＧＭＬＣに対して送信されるＬＣＳサービス要求が有すべき処理指示の型を決定する。
規則１を以下に説明する。要求末端から送信されたＬＣＳサービス要求が有する処理指示の型に従って、Ｒ−ＧＭＬＣは、Ｈ−ＧＭＬＣに対して送信されるＬＣＳサービス要求が有すべき処理指示の型を決定する。例えば、要求末端からＲ−ＧＭＬＣに送信されたＬＣＳサービス要求が同期処理指示を有する場合、Ｒ−ＧＭＬＣからＨ−ＧＭＬＣに送信されるＬＣＳサービス要求もそれに応じて同期処理指示を有する。要求末端からＲ−ＧＭＬＣに送信されたＬＣＳサービス要求が非同期処理指示を有する場合、Ｒ−ＧＭＬＣからＨ−ＧＭＬＣに送信されるＬＣＳサービス要求もそれに応じて非同期処理指示を有する。
規則２を以下に説明する。要求末端から送信されたＬＣＳサービス要求が有するサービスの質（ＱｏＳ）のパラメータに従って、Ｒ−ＧＭＬＣは、Ｈ−ＧＭＬＣに対して送信されるＬＣＳサービス要求が有すべき処理指示の型を決定する。ＱｏＳパラメータによって要求される位置把握の精度が高い場合、ＬＣＳシステムは、対象ＵＥの位置把握に長時間を費やす。そのような場合、ＬＣＳシステムリソースを節約するために、Ｒ−ＧＭＬＣからＨ−ＧＭＬＣに送信されるＬＣＳサービス要求は非同期処理指示を有する。さもなければ、Ｒ−ＧＭＬＣからＨ−ＧＭＬＣに送信されるＬＣＳサービス要求は同期処理指示を有する。
規則３を以下に説明する。Ｈ−ＧＭＬＣの型に従って、Ｒ−ＧＭＬＣは、Ｈ−ＧＭＬＣに対して送信されるＬＣＳサービス要求が有すべき処理指示の型を決定する。Ｈ−ＧＭＬＣのアドレス型は、ローカルアドレスとリモートアドレスに分類される。例えば、Ｈ−ＧＭＬＣのアドレス型がローカルアドレスの場合、Ｒ−ＧＭＬＣからＨ−ＧＭＬＣに送信されるＬＣＳサービス要求は同期処理指示を有する。一方、Ｈ−ＧＭＬＣのアドレス型がリモートアドレスの場合、Ｒ−ＧＭＬＣからＨ−ＧＭＬＣに送信されるＬＣＳサービス要求は非同期処理指示を有する。
【００４０】
Ｒ−ＧＭＬＣが、Ｈ−ＧＭＬＣに対して送信されるＬＣＳサービス要求が有すべき処理指示の型を決定する場合、上記の規則のいずれの組み合わせも可能である。例えば、要求末端からＲ−ＧＭＬＣに送信されたＬＣＳサービス要求が同期処理指示を有し、かつＱｏＳパラメータが高い位置把握精度を要求する場合、Ｒ−ＧＭＬＣは、総合的な分析に従って、Ｈ−ＧＭＬＣに対して非同期処理指示を有するＬＣＳサービス要求を送信する。
【００４１】
上述の、ＬＣＳサービス要求に対して同期処理又は非同期処理のどちらを実行すべきかを決定する手順が、Ｒ−ＧＭＬＣ及びＨ−ＧＭＬＣの間のＬｒインターフェースにおいて実行される。
【００４２】
図７は、Ｈ−ＧＭＬＣ及びＶ−ＧＭＬＣの間の位置情報要求に対する同期処理を説明するフローチャートであり、図７に示されるように、Ｈ−ＧＭＬＣ及びＶ−ＧＭＬＣの間の位置情報要求に対する同期処理の実施手順は、以下のステップを有する。
【００４３】
以下にステップ７０１乃至７０２を説明する。Ｈ-ＧＭＬＣは、Ｖ−ＧＭＬＣに対して同期処理指示を有するＬＣＳサービス要求を送信する。ＬＣＳサービス要求を受信した後、Ｖ−ＧＭＬＣは同期処理指示に従って、ＬＣＳサービス要求に対する同期処理を実行し、ＣＮ及びＲＡＮと共働して対象ＵＥの位置把握をし、その後、Ｈ−ＧＭＬＣに対して、対象ＵＥの位置把握の位置把握結果を有するＬＣＳサービス応答を返信する。
【００４４】
図８は、Ｈ−ＧＭＬＣ及びＶ−ＧＭＬＣの間の位置情報要求に対する非同期処理を説明するフローチャートであり、図８に示されるように、Ｈ−ＧＭＬＣ及びＶ−ＧＭＬＣの間の位置情報要求に対する非同期処理の実施手順は、以下のステップを有する。
【００４５】
以下にステップ８０１乃至８０２を説明する。Ｈ−ＧＭＬＣは、Ｖ−ＧＭＬＣに対して非同期処理指示を有するＬＣＳサービス要求を送信する。ＬＣＳサービス要求を受信した後、Ｖ−ＧＭＬＣは、非同期処理指示に従って、ＬＣＳサービス要求に対する非同期処理を実行し、Ｈ−ＧＭＬＣに対してＬＣＳサービス応答を送信し、Ｈ−ＧＭＬＣに、ＬＣＳサービス要求が受付けられたことを知らせ、自身及びＨ−ＧＭＬＣの間の接続リソースを解放する。ＬＣＳサービス応答を受信した後、Ｈ−ＧＭＬＣは、自身及びＶ−ＧＭＬＣの間の接続リソースを解放する。
【００４６】
以下にステップ８０３を説明する。ＣＮ及びＲＡＮと共働して対象ＵＥの位置把握をした後、Ｖ−ＧＭＬＣは、自身及びＨ−ＧＭＬＣの間の接続を再確立し、Ｈ−ＧＭＬＣに対して、対象ＵＥの位置把握結果を有するＬＣＳサービス結果を返信する。
【００４７】
Ｈ−ＧＭＬＣは、以下に示す規則のいずれかに従って、Ｖ−ＧＭＬＣに対して送信されるＬＣＳサービス要求が有すべき処理指示の型を決定する。
規則１を以下に説明する。Ｒ−ＧＭＬＣから送信されたＬＣＳサービス要求が有する処理指示の型に従って、Ｈ−ＧＭＬＣは、Ｖ−ＧＭＬＣに対して送信されるＬＣＳサービス要求が有すべき処理指示の型を決定する。例えば、Ｒ−ＧＭＬＣからＨ−ＧＭＬＣに送信されたＬＣＳサービス要求が同期処理指示を有する場合、Ｈ−ＧＭＬＣからＶ−ＧＭＬＣに送信されるＬＣＳサービス要求もそれに応じて同期処理指示を有する。Ｒ−ＧＭＬＣからＨ−ＧＭＬＣに送信されたＬＣＳサービス要求が非同期処理指示を有する場合、Ｈ−ＧＭＬＣからＶ−ＧＭＬＣに送信されるＬＣＳサービス要求もそれに応じて非同期処理指示を有する。
規則２を以下に説明する。Ｒ−ＧＭＬＣから送信されたＬＣＳサービス要求が有するＱｏＳのパラメータに従って、Ｈ−ＧＭＬＣは、Ｖ−ＧＭＬＣに対して送信されるＬＣＳサービス要求が有すべき処理指示の型を決定する。ＱｏＳパラメータによって要求される位置把握の精度が高い場合、ＬＣＳシステムは、対象ＵＥの位置把握に長時間を費やす。そのような場合、ＬＣＳシステムリソースを節約するために、Ｈ−ＧＭＬＣからＶ−ＧＭＬＣに送信されるＬＣＳサービス要求は非同期処理指示を有する。さもなければ、Ｈ−ＧＭＬＣからＶ−ＧＭＬＣに送信されるＬＣＳサービス要求は同期処理指示を有する。
規則３を以下に説明する。Ｖ−ＧＭＬＣの型に従って、Ｈ−ＧＭＬＣは、Ｖ−ＧＭＬＣに対して送信されるＬＣＳサービス要求が有すべき処理指示の型を決定する。Ｖ−ＧＭＬＣのアドレス型は、ローカルアドレスとリモートアドレスに分類される。例えば、Ｖ−ＧＭＬＣのアドレス型がローカルアドレスの場合、Ｈ−ＧＭＬＣからＶ−ＧＭＬＣに送信されるＬＣＳサービス要求は同期処理指示を有する。一方、Ｖ−ＧＭＬＣのアドレス型がリモートアドレスの場合、Ｈ−ＧＭＬＣからＶ−ＧＭＬＣに送信されるＬＣＳサービス要求は非同期処理指示を有する。
【００４８】
Ｈ−ＧＭＬＣが、Ｖ−ＧＭＬＣに対して送信されるＬＣＳサービス要求が有すべき処理指示の型を決定する場合、上記の規則のいずれの組み合わせも可能である。例えば、Ｒ−ＧＭＬＣからＨ−ＧＭＬＣに送信されたＬＣＳサービス要求が同期処理指示を有し、かつＱｏＳパラメータが高い位置把握精度を要求する場合、Ｈ−ＧＭＬＣは、総合的な分析に従って、Ｖ−ＧＭＬＣに対して非同期処理指示を有するＬＣＳサービス要求を送信してよい。
【００４９】
上述の、ＬＣＳサービス要求に対して同期処理又は非同期処理のどちらを実行すべきかを決定する手順が、Ｈ−ＧＭＬＣ及びＶ−ＧＭＬＣの間のＬｒインターフェースにおいて実行される。
【００５０】
実際の応用において、要求末端は、対象ＵＥの位置情報要求を開始して、ＬＣＳシステムに対象ＵＥの現在の位置情報を提供することを要求する。要求末端は、Ｒ−ＧＭＬＣに対して同期処理指示を有するＬＣＳサービス要求を送信する。ＬＣＳサービス要求を受信した後、Ｒ−ＧＭＬＣは、位置情報要求に対する同期処理手順を入力する。対象ＵＥが連携しているＨ−ＧＭＬＣのアドレス情報を入手した後、Ｒ−ＧＭＬＣは、ＬＣＳサービス要求が有するＱｏＳパラメータが高い位置把握精度を要求しており、従ってＬＣＳシステムが対象ＵＥの位置把握をするのに長時間を要すると判断し、そこで、Ｒ−ＧＭＬＣは、Ｈ−ＧＭＬＣでＬＣＳサービス要求に対する非同期処理を採用することを決定し、Ｈ−ＧＭＬＣに対して非同期処理指示を有するＬＣＳサービス要求を送信する。ＬＣＳサービス要求を受信した後、Ｈ−ＧＭＬＣは、ＬＣＳサービス要求に対する非同期処理を実行し、Ｒ−ＧＭＬＣに対してＬＣＳサービス応答を送信し、その後、自身及びＲ−ＧＭＬＣの間の接続リソースを解放する。ＬＣＳサービス応答を受信した後、Ｒ−ＧＭＬＣは、自身及びＨ−ＧＭＬＣの間の接続リソースを解放する。
【００５１】
Ｈ−ＧＭＬＣは、ＬＣＳサービス要求に関してプライバシを確認する。プライバシ確認をパスした場合、Ｈ−ＧＭＬＣは、ＨＬＲ／ＨＳＳを通じて得られるＶ−ＧＭＬＣのアドレス型に従って、ＬＣＳサービス要求に対する処理方式を決定する。Ｖ−ＧＭＬＣのアドレス型がローカルアドレスである場合、同期処理が、Ｈ−ＧＭＬＣ及びＶ−ＧＭＬＣの間のＬＣＳサービス要求について採用される。そのような場合、Ｈ−ＧＭＬＣは、Ｖ−ＧＭＬＣに対して同期処理指示を有するＬＣＳサービス要求を送信する。Ｖ−ＧＭＬＣは、受信後、受信されたＬＣＳサービス要求に対して同期処理を実行し、ＣＮ及びＲＡＮと共働して対象ＵＥの位置把握をし、その後、Ｈ−ＧＭＬＣに対して対象ＵＥの位置把握結果を有するＬＣＳサービス結果を返信する。ＬＣＳサービス結果を受信した後、Ｈ−ＧＭＬＣは、自身及びＲ−ＧＭＬＣの間の接続を再確立し、Ｒ−ＧＭＬＣに対して対象ＵＥの位置把握結果を有するＬＣＳサービス結果を返信する。ＬＣＳサービス結果を受信した後、Ｒ−ＧＭＬＣは、要求末端に対して対象ＵＥの位置把握結果を有するＬＣＳサービス結果を返信する。
【００５２】
以上により、先の記述は、本発明に対する限定というよりむしろ実例による説明であることが正しく理解される。
【図面の簡単な説明】
【００５３】
【図１】ＬＣＳネットワークのロジック構造を説明する略示図である。
【図２】３ＧＰＰ  ＬＣＳ仕様で位置情報要求を開始する要求末端の処理を説明するフローチャートである。
【図３】要求末端及びＲ−ＧＭＬＣの間の位置情報要求に対する同期処理を説明するフローチャートである。
【図４】要求末端及びＲ−ＧＭＬＣの間の位置情報要求に対する非同期処理を説明するフローチャートである。
【図５】Ｒ−ＧＭＬＣ及びＨ−ＧＭＬＣの間の位置情報要求に対する同期処理を説明するフローチャートである。
【図６】Ｒ−ＧＭＬＣ及びＨ−ＧＭＬＣの間の位置情報要求に対する非同期処理を説明するフローチャートである。
【図７】Ｈ−ＧＭＬＣ及びＶ−ＧＭＬＣの間の位置情報要求に対する同期処理を説明するフローチャートである。
【図８】Ｈ−ＧＭＬＣ及びＶ−ＧＭＬＣの間の位置情報要求に対する非同期処理を説明するフローチャートである。
【図１】
2007507123.tif 000003
【図２】
2007507123.tif 000004
【図３】
2007507123.tif 000005
【図４】
2007507123.tif 000006
【図５】
2007507123.tif 000007
【図６】
2007507123.tif 000008
【図７】
2007507123.tif 000009
【図８】
2007507123.tif 000010
【国際調査報告】
2007507123.tif 000011
2007507123.tif 000012
2007507123.tif 000013
2007507123.tif 000014